(57)【要約】      （修正有）【課題】装着時の安定性を高め、同時に尿漏れを防止した便座カバーを提供する。【解決手段】便座の形状に合うように、表面布、裏面布、外回りまち布、内回りまち布をつなぎ合わせて、便座を包み込む。外回りまちＡと内回りまちＣを入れることで、立体的になり、ずれ、回りを防ぎ、密着性と安定感が得られる。裏面パーツＤの内部にマイクロファイバー生地や尿取りパットなどの吸水素材４を挿入して漏れた尿の吸収性を高める。 【選択図】図１
0003175388.tif 000002
【実用新案登録請求の範囲】
【請求項１】
便座カバー
閉じた状態で便座の形状に合うように、表面布、裏面布、外回りまち布、内回りまち布
の４枚の布から構成し、この４枚の布をつなぎ合わせ便座を包み込むことで、内回りまち
布及び外回りまち布が便座の内周及び外周に沿って配置されて、周りやずれを防ぎ、裏面
布は、便器との間に挟み込まれて便座と便器の間の密着度が増し、さらに少なくとも裏面
布は、内部にマイクロファイバー生地や尿取りパットなどの吸水素材を挿入し、便座に漏れた尿の吸収効率を向上させたことを特徴とする便座カバー。
【請求項２】
内回りまち布も内部にマイクロファイバー生地や尿取りパットなどの吸水素材を挿入す
る請求項１に記載の便座カバー。
【請求項３】
外回りまち布と裏面布の間に開口を設けて、釦と釦掛けによって開閉するようにしている請求項
１又は２に記載の便座カバー。
【請求項４】
釦掛けの先端に持ち手を構成している請求項３に記載の便座カバー。
【考案の詳細な説明】
【技術分野】
【０００１】
本考案は、ずれ防止と尿吸収対策を講じた便座カバーに関するものである。
【背景技術】
【０００２】
従来の便座カバーは、１枚の伸縮性の布（パイル地など）で平面的に製作し、布
の伸び縮みで便座を覆うように装着するので、立体で曲面を有する便座に装着すると、
ずれやたるみ、回りが生じる。
さらに、カバーの便座裏面側はホック留めのため全体が布で覆われているわけではな
い。このため隙間が生じ尿が下に伝うなど不潔な状態を呈する。また特許文献１に開
示されているものでは、面テープと吸着素材で、ずれや感触の改良と装着の容易さを
主題としているが、裏面に対する対策がない。
これらを解決する方法を考案することが必要である。本考案はそれに対応する考案で
ある。
【先行技術文献】
【特許文献】
【０００３】
【特許文献１】実用新案登録第３１４１４８６号公報
【考案の概要】
【考案が解決しようとする課題】
【０００４】
本考案は、以下の２点を解決するためのものである。
【０００５】
１．１枚の布で作成されていることから発生するずれやたるみ、回りを防ぐこと。
【０００６】
２．便座と便器の隙間から伝う尿の軽減対策を図ること。
【課題を解決するための手段】
【０００７】
上記課題を解決するために、本考案の便座を覆う便座カバーは、便座の形状に合うよ
うに、便座表面布、便座裏面布、便座外側まち布、便座内側まち布、の４枚の布から構
成し、この４枚の布をつなぎ合わせ便座を包みこむことで、まちの部分が便座の内周及
び外周に沿って配置されて、便座カバーの形状が便座にフィットすることでずれやたる
み、回りを防ぎ、裏面布は、便器との間に挟み込まれて便座と便器の間の密着度が増す。
さらに裏面パーツは、内部にマイクロファイバー生地や尿取りパットなど吸水素材を挿
入し、便座に漏れた尿の吸収効率を向上させたことを特徴とする。
【０００８】
内回りまち布も内部にマイクロファイバー生地や尿取りパットなど吸水素材を挿入す
ることが好ましい。
【０００９】
外回りまち布と裏面布の間に開口を設けて釦と釦掛けによって開閉するようにしてい
ることが好ましい。
【００１０】
釦掛けの先端に持ち手を構成していることが好ましい。
【考案の効果】
【００１１】
このように構成すると、便座の形状に合わせた立体型のカバーになり、まちによって
まわり止めが図れるので、回りやずれを気にせず着座でき、使用時の不快感を解消出来
るだけでなく、ずれやたるみの修正等の手数を省ける。さらに、便座カバーの密着性が
高いことは、便器への尿伝いの減少にもつながる。裏面パーツの内部にマイクロファイ
バー生地や尿取りパットなどの吸収素材を設けると、こぼれた尿の吸収性を高める効果
がある。
季節により、布の使用素材を工夫すれば便座の保温効果や、清涼効果を得られる。便座
裏面布に吸水効果の高い素材を用いれば、尿伝い防御にも役立つ。
【図面の簡単な説明】
【００１２】
【図１】パーツをつなぎ合わせた状態の便座カバーを示す破断斜視図
【図２】便座カバーの４枚の各パーツの説明図
【図３】４枚のパーツをつないだ展開図
【図４】便座に装着したカバーの表面側斜視図
【図５】便座に装着したカバーの裏面側斜視図
【図６】便座に便座カバーを装着した状態の便器の側面図
【図７】便座に考案した便座カバーを装着した図
【考案を実施するための形態】
【００１３】
本考案に係る便座カバーの実施形態を説明する。
便座は平面ではなく、立体的形状である。より快適に使用するために、本考案の便座カ
バーは、まち部分を入れることにより、装着すると一層使用感が優れたカバーとなる。
表面、裏面、外回りまち、内回りまちの４枚構成で、４枚のパーツをつなぎ合わせるこ
とで、この形態を実現することができる。
【００１４】
次に本考案の実施形態を図面に基づいて説明する。この実施形態はＯ型便座に適用す
る例である。
【００１５】
図１は、図３で縫い合わされた状態のものを立体形にしたものの破断斜視図である。
４枚のパーツＡ、Ｂ、Ｃ、Ｄが縫合された状態と、開口部８の状況がこの破断斜視図で
確認できる。パーツＡは外回りまち布、パーツＢは表面布、パーツＣは内回り布、パー
ツＤは裏面布である。
【００１６】
図２は、4枚の各パーツＡ,B,C,Dの、形状を図示したものである。Ａは外回りまち
である。外回りまちＡは保温素材１を内部に設けることによって構成されている。側面
の形状が中央と左右で厚みａ，ｂが違う故に、便座の形状(高さ)にあわせて中央が巾狭
く、奥行きになる左右が巾広いパーツの形状となる。同図Ｂは、表面パーツである。表
面パーツＢは馬蹄形の真ん中ｄが巾狭く、左右ｅが幅広の形状となる。同図Ｃは、内回
りまちであり、内部に吸水素材３を設けることによって構成されている。内回りまちＣ
は、外回りまちＡとは逆に便座の形状が中央ａ’が厚く左右ｂ’が薄いため、それに合わ
せたパーツの形状になる。同図Ｄは、裏面パーツである。裏面パーツＤは、形状は表面
パーツＢと同形であるｄ’，ｅ’の関係はｄ，ｅの関係に対応している。便器に接触する
パーツなるが故に、Ｃのパーツ同様に尿対策を考慮した工夫が必要なパーツである。パ
ーツＣ、Ｄは内部にマイクロファイバー生地や尿取りパットなどの吸水素材３、４を包
み込んだ形状とし、こぼれた尿を吸収する構造を採用した。これにより尿こぼしの始末
と不快感を軽減できる。
【００１７】
図３は、図２のパーツＡ〜Ｄを縫い合わせて、つないだ図である。上から、外回りまちＡに、表面パーツＢを縫い合わせ、次に表面パーツＢと内回りまちＣを縫い合わせ、最
後に内回りまちＣと裏面パーツＤを縫い合わせる。これで各パーツの接合が完了する。
図４は、便座カバーを装着した便座Ｘを上面から見た図である。たるみなくしっかりと
カバーが便座に装着されている様子を図示したものである。
図５は、便座カバーを装着した便座Ｘを、便座裏面X’から見た図である。内外のまちＡ、Ｃが、表面パーツＢ，裏面パーツＤと一体となってしっかりと便座を包み込んでいる様子を表したものである。
図6は、外回り面から便座カバーを見たものである。開口部８を釦５と釦掛け６によって接合した様子を図示したもので、装着のし易さを考慮し、ボタンにゴム紐を加工して構成した持ち手７を釦掛け６の先端に使用したものであり、手の不自由な人にも着脱し易いものとなっている。なお、本考案はＵ型便座にもＯ型便座と同様に適用することができる。
【００１８】
図７は、便座Ｘに考案した便座カバーを装着した図である。
【符号の説明】
【００１９】
Ａ外回りまち、Ｂ表面パーツ、Ｃ内回りまち、Ｄ裏面パーツ、
Ｗ便器ふた、Ｘ便座表、Ｘ’便座裏、Ｚ便器
１…保温素材、２…保温素材、３…吸水素材、４…吸水素材、５…釦
６…釦掛け、７…釦掛けの持ち手、８…開口部
【図１】
0003175388.tif 000003
【図２】
0003175388.tif 000004
【図３】
0003175388.tif 000005
【図４】
0003175388.tif 000006
【図５】
0003175388.tif 000007
【図６】
0003175388.tif 000008
【図７】
0003175388.tif 000009